(57)【要約】【課題】貯湯給湯装置において、高価な部品を追加的に設置せずに高温出湯回避可能な構造を備えたものを提供すること等である。【解決手段】貯湯給湯装置１は、貯湯タンク２と、給水通路５と、出湯通路６と、バイパス通路１５と、出湯通路６の湯水の流量とバイパス通路１５の水の流量とを調節して混合する混合手段１３と、出湯通路６に設置された補助熱源機３と、出湯通路６の補助熱源機３の下流側と混合手段１３の上流側との間の通路部から分岐されると共に出湯通路５の補助熱源機３の上流側の通路部に接続された熱利用循環回路９であって出湯通路６の一部を含む熱利用循環回路９と、この熱利用循環回路９に設置された循環ポンプ２８と、給水通路５から分岐されて熱利用循環回路９に接続された接続通路３０と、給湯運転の際に、接続通路３０から熱利用循環回路９への通水が行われないように循環ポンプ２８を駆動する制御ユニット１０とを備えている。【選択図】図２
2015081755.tif 000002
【特許請求の範囲】
【請求項１】
貯湯タンクと、この貯湯タンクの下部に接続された給水通路と、前記貯湯タンクの上部に接続された出湯通路と、前記給水通路と前記出湯通路とを接続するバイパス通路と、前記出湯通路を流れる湯水の流量と前記バイパス通路を流れる水の流量とを調節して混合する混合手段と、前記出湯通路に設置された補助熱源機と、前記出湯通路の前記補助熱源機の下流側と前記混合手段の上流側との間の通路部から分岐されると共に前記出湯通路の前記補助熱源機の上流側の通路部に接続された循環通路であって前記出湯通路の一部を含む循環通路と、この循環通路に設置された循環手段とを備えた貯湯給湯装置において、
前記給水通路又は前記バイパス通路から分岐されて前記循環通路に接続された接続通路と、給湯運転の際に、前記接続通路から前記循環通路への通水が行われないように前記循環手段を駆動する循環手段制御手段とを備えたことを特徴とする貯湯給湯装置。
【請求項２】
前記接続通路には、前記給水通路又は前記バイパス通路から前記循環通路への通水を許容すると共に前記循環通路から前記給水通路又は前記バイパス通路への通水を許容しない逆止手段が設置されたことを特徴とする請求項１に記載の貯湯給湯装置。
【請求項３】
前記循環通路には、この循環通路を流れる湯水により熱媒体を加熱する熱交換手段が設置され、
前記接続通路は、前記循環通路の前記循環手段の下流側と前記熱交換手段の上流側との間の通路部に接続されたことを特徴とする請求項１又は２に記載の貯湯給湯装置。
【発明の詳細な説明】
【技術分野】
【０００１】
本発明は貯湯給湯装置に関し、特に停電時や混合弁が故障した場合等に高温の湯水が出湯されるのを回避可能な構造を備えたものに関する。
【背景技術】
【０００２】
従来から、貯湯、給湯、床暖房パネル等の温水暖房端末への温水の供給、風呂への給湯及び追い焚き等の機能を備えた貯湯給湯装置が広く一般に普及している。この貯湯給湯装置は、外部熱源機により加熱された湯水を貯留する貯湯タンク、この貯湯タンクに低温の上水を供給する給水通路、貯湯タンクに貯留された湯水を給湯栓等の所望の給湯先に供給する出湯通路、風呂への給湯及び追い焚きを行う風呂給湯追焚回路、この風呂給湯追焚回路を加熱する熱利用循環回路等を備えている。
【０００３】
さらに、上記の貯湯給湯装置は、給水通路と出湯通路とを貯湯タンクをバイパスして接続するバイパス通路、このバイパス通路と出湯通路との合流部に設置された混合弁等も備え、この混合弁によって出湯通路を流れる湯水の流量とバイパス通路を流れる水の流量とが調節されて混合され、設定温度になった湯水が所望の給湯先に供給される。
【０００４】
ところで、停電時や混合弁が故障した場合等に、高温の湯水が給湯栓等から吐出される虞がある。この問題を解決するために、例えば、特許文献１の貯湯式の給湯装置には、給水通路から分岐されて混合弁を介さずに出湯通路に接続された分岐通路、この分岐通路に設置された高温出湯回避用開閉弁を備えた構造が開示されている。
【０００５】
上記の高温出湯回避用開閉弁は、給湯運転時には閉弁状態になり、給湯待機時や電源オフ時には開弁状態になるノーマルオープン型の弁に構成されている。また、この高温出湯回避用開閉弁は、給湯運転中に高温出湯を検知した場合にも開放状態に設定できる。このため、停電時や混合弁が故障した場合、高温出湯回避用開閉弁は開弁状態となるので、給水通路の水が、給水圧によって分岐通路を介して出湯通路に流入し、出湯通路内の湯水と混合することで、高温の湯水が給湯栓等から吐出されるのを防止することができる。
【０００６】
また、高温出湯回避用の構造としては、例えば、特許文献２の貯湯式温水器には、バイパス配管から分岐した分岐配管が混合弁の上流側において出湯配管に接続し、分岐配管にバイパス配管から出湯配管への流れを許容する逆止弁を設置した構造が開示されている。この構造では、混合弁に至る前に水と予め混合して湯水の温度を下げることで、高温の湯水が吐出されるのを防止することができる。
【先行技術文献】
【特許文献】
【０００７】
【特許文献１】特許第５１６０３７７号公報
【特許文献２】特開２００３−２２２４０７号公報
【発明の概要】
【発明が解決しようとする課題】
【０００８】
しかし、特許文献１の貯湯式の給湯装置では、停電時や混合弁が故障した際に高温出湯を回避するために、分岐通路と高温出湯回避用開閉弁を追加的に設置する構造上、部品点数が増加する上、特に高温出湯回避用開閉弁は高価な部品であるので、コスト高となるという問題がある。
【０００９】
また、特許文献２の貯湯式温水器では、分岐配管から出湯通路の混合弁より上流側の通路部に、給水通路の水が給水圧によって常時流れ込む構造であるので、通常の給湯運転でも混合弁に至る前に高温の湯水と水が予め混合されてしまう。このため、貯湯タンクに貯留された高温の湯水を有効に活用できず、貯湯給湯装置の運転効率が低下するという問題がある。
【００１０】
本発明の目的は、貯湯給湯装置において、高価な部品を追加的に設置せずに高温出湯回避可能な構造を備えたものを提供すること、給湯運転時に混合弁に至る前に高温の湯水に水が混合されない構造を備えたものを提供すること、等である。
【課題を解決するための手段】
【００１１】
請求項１の貯湯給湯装置は、貯湯タンクと、この貯湯タンクの下部に接続された給水通路と、前記貯湯タンクの上部に接続された出湯通路と、前記給水通路と前記出湯通路とを接続するバイパス通路と、前記出湯通路を流れる湯水の流量と前記バイパス通路を流れる水の流量とを調節して混合する混合手段と、前記出湯通路に設置された補助熱源機と、前記出湯通路の前記補助熱源機の下流側と前記混合手段の上流側との間の通路部から分岐されると共に前記出湯通路の前記補助熱源機の上流側の通路部に接続された循環通路であって前記出湯通路の一部を含む循環通路と、この循環通路に設置された循環手段とを備えた貯湯給湯装置において、前記給水通路又は前記バイパス通路から分岐されて前記循環通路に接続された接続通路と、給湯運転の際に、前記接続通路から前記循環通路への通水が行われないように前記循環手段を駆動する循環手段制御手段とを備えたことを特徴としている。
【００１２】
請求項２の貯湯給湯装置は、請求項１の発明において、前記接続通路には、前記給水通路又は前記バイパス通路から前記循環通路への通水を許容すると共に前記循環通路から前記給水通路又は前記バイパス通路への通水を許容しない逆止手段が設置されたことを特徴としている。
【００１３】
請求項３の貯湯給湯装置は、請求項１又は２の発明において、前記循環通路には、この循環通路を流れる湯水により熱媒体を加熱する熱交換手段が設置され、前記接続通路は、前記循環通路の前記循環手段の下流側と前記熱交換手段の上流側との間の通路部に接続されたことを特徴としている。
【発明の効果】
【００１４】
請求項１の発明によれば、給水通路又はバイパス通路から分岐されて循環通路に接続された接続通路と、給湯運転の際に、接続通路から循環通路への通水が行われないように循環手段を駆動する循環手段制御手段とを備えたので、給湯運転時では、循環手段の駆動を介して循環通路に湯水が循環されると、循環通路に水圧が作用し、給水通路又はバイパス通路の水が接続通路から循環通路に通水されなくなる。
【００１５】
給湯待機時では、循環手段は駆動されず、循環通路に水圧が作用しないので、給水通路又はバイパス通路の水が給水圧によって接続通路から循環通路へ通水可能な状態となる。停電時や混合弁が故障した場合等においては、給水通路又はバイパス通路の水は給水圧によって接続通路と循環通路を介して出湯通路に自動的に流入するので、高温の湯水が給湯栓等から吐出されるのを防止することができる。
【００１６】
従って、給湯運転時では、貯湯タンクに貯留された高温の湯水をそのまま給湯に使用可能であるので、貯湯給湯装置の運転効率の低下を防止することができ、給湯待機時では、高温出湯回避状態に自動的に設定することができるので、高温出湯回避用開閉弁等の高価な部品を追加的に設置せずに、低コストで既存の貯湯給湯装置を高温出湯回避構造とすることができる。
【００１７】
請求項２の発明によれば、接続通路には、給水通路又はバイパス通路から循環通路への通水を許容すると共に循環通路から給水通路又はバイパス通路への通水を許容しない逆止手段が設置されたので、この逆止手段によって、循環通路から給水通路又はバイパス通路への逆流を確実に防止することができる。
【００１８】
請求項３の発明によれば、循環通路には、この循環通路を流れる湯水により熱媒体を加熱する熱交換手段が設置され、接続通路は、循環通路の循環手段の下流側と熱交換手段の上流側との間の通路部に接続されたので、給湯運転時に循環手段によって循環通路に湯水を循環させると、熱交換手段の抵抗によって熱交換手段より上流側の通路部に確実に水圧が作用し、接続通路から循環通路へ水が流れ込むのを確実に防止することができる。
【図面の簡単な説明】
【００１９】
【図１】本発明の実施例１に係る貯湯給湯装置の概略構成図である。
【図２】給湯運転時における貯湯給湯装置の概略構成図である。
【図３】本発明の実施例２に係る貯湯給湯装置の概略構成図である。
【図４】給湯運転時における貯湯給湯装置の概略構成図である。
【発明を実施するための形態】
【００２０】
以下、本発明を実施するための形態について実施例に基づいて説明する。
【実施例１】
【００２１】
次に、本発明の貯湯給湯装置１の全体構成について説明する。
図１に示すように、貯湯給湯装置１は、貯湯、給湯、風呂の追い焚き等の機能を有するものであり、貯湯タンク２、燃焼式の補助熱源機３、熱利用熱交換器４、給水通路５、出湯通路６、加熱循環回路７、風呂追焚回路８、熱利用循環回路９、制御ユニット１０等を備え、これら大部分は外装ケース１１内に一体的に収納されて構成されている。
【００２２】
尚、貯湯給湯装置１は、外部熱源機１２として貯湯タンク２内の湯水を加熱可能なヒートポンプ式熱源機と、このヒートポンプ式熱源機と貯湯給湯装置１と組み合わせることでヒートポンプ式給湯装置が構成されるが、貯湯給湯装置１以外の構成の詳細な説明は省略する。外部熱源機１２としては、ヒートポンプ式熱源機に限定する必要はなく、燃料電池発電ユニットの排熱回収熱交換器等も活用可能である。
【００２３】
次に、貯湯タンク２と補助熱源機３と熱利用熱交換器４について説明する。
図１に示すように、貯湯タンク２は、外部熱源機１２で加熱された高温の湯水（例えば、６５〜９０℃）を貯留可能な密閉タンクで構成され、貯留された湯水の放熱を防ぐ為にタンク周囲は断熱材で覆われている。
【００２４】
補助熱源機３は、バーナーや熱交換器等を内蔵した公知のガス給湯器で構成されている。補助熱源機３は、貯湯タンク２内の湯水温度が低下した場合等の特別な場合に限り、制御ユニット１０から指令が送信されて燃焼作動され、湯水を加熱するものである。
【００２５】
熱利用熱交換器４は、風呂追焚回路８を流れる浴槽水を加熱するものであり、熱利用循環回路９の一部となる１次側熱交換通路部４ａ、風呂追焚回路８の一部となる２次側熱交換通路部４ｂを有している。この熱利用熱交換器４において、熱利用循環回路９を流れる高温の湯水と風呂追焚回路８を流れる浴槽水との間で熱交換され、浴槽水が加熱される。
【００２６】
次に、給水通路５について説明する。
図１に示すように、給水通路５は、上水源から低温の上水を貯湯タンク２に供給するものであり、上流給水通路部５ａ、中間給水通路部５ｂ、下流給水通路部５ｃを有している。上流給水通路部５ａの上流端が上水源に接続され、下流給水通路部５ｃの下流端が貯湯タンク２の下部に接続されている。
【００２７】
上流給水通路部５ａと中間給水通路部５ｂとの間から出湯通路６に接続するバイパス通路１５が分岐されている。バイパス通路１５は、給水通路５と出湯通路６とを接続して給水通路５の低温の上水を出湯通路６に供給するものであり、上流バイパス通路部１５ａ、下流バイパス通路部１５ｂを有している。下流バイパス通路部１５ｂには、混合手段１３を構成する低温側開閉弁１６が設置されている。
【００２８】
中間給水通路部５ｂと下流給水通路部５ｃとの間から熱利用循環回路９に接続する分岐通路１７が分岐されている。分岐通路１７は、給水通路５と熱利用循環回路９とを接続して給水通路５の低温の上水を熱利用循環回路９に供給するものである。この分岐通路１７には、開閉弁１８が設置されている。
【００２９】
次に、出湯通路６について説明する。
図１に示すように、出湯通路６は、貯湯タンク２内に貯湯された湯水を給湯栓等の所望の給湯先に供給するものであり、高温の湯水が流れる上流出湯通路部６ａ、熱利用循環回路９と共通する共通出湯通路部６ｂ、中間出湯通路部６ｃ、混合湯水が流れる下流出湯通路部６ｄを有し、上流出湯通路部６ａの上流端が貯湯タンク２の上部に接続され、下流出湯通路部６ｄの下流端が給湯栓に接続されている。
【００３０】
上流出湯通路部６ａと共通出湯通路部６ｂとの間に三方弁１９が設置され、この三方弁１９に熱利用循環回路９の下流循環通路部９ｃが接続されている。この三方弁１９は、上流出湯通路部６ａと共通出湯通路部６ｂとの間の接続・遮断及び下流循環通路部９ｃと共通出湯通路部６ｂとの間の接続・遮断及び上流出湯通路部６ａと共通出湯通路部６ｂと下流循環通路部９ｃの全てを接続した状態（オールポートオープン）に切換可能なものである。
【００３１】
共通出湯通路部６ｂには、逆止弁２１と補助熱源機３が上流から下流に向かって順に設置されている。中間出湯通路部６ｃには、混合手段１３を構成する高温側開閉弁２２が設置されている。中間出湯通路部６ｃと下流出湯通路部６ｄとの間にバイパス通路１５が接続されている。
【００３２】
次に、混合手段１３について説明する。
図１に示すように、混合手段１３は、出湯通路６を流れる湯水の流量とバイパス通路１５を流れる水の流量とを調節して混合する、つまり、出湯温度が指令温度になるように水と高温の湯水の混合比を制御するものであり、バイパス通路１５に設置された低温側開閉弁１６、出湯通路６に設置された高温側開閉弁２２から構成されている。
【００３３】
次に、加熱循環回路７について説明する。
図１に示すように、加熱循環回路７は、外部熱源機１２であるヒートポンプ式熱源機と貯湯タンク２との間に湯水を循環させる閉回路であり、往き側通路部７ａ、戻り側通路部７ｂを有し、往き側通路部７ａの上流端が貯湯タンク２の下部に接続され、戻り側通路部７ｂの下流端が貯湯タンク２の上部に接続されている。
【００３４】
往き側通路部７ａの途中部から戻り側通路部７ｂの途中部に接続するバイパス通路部７ｃが分岐されている。この分岐部には、貯湯切換弁２３が設置されている。往き側通路部７ａには、ヒートポンプ式熱源機に湯水を流通させる為の加熱循環ポンプ２４が設置されている。
【００３５】
次に、風呂追焚回路８について説明する。
図１に示すように、風呂追焚回路８は、風呂の浴槽水を追い焚きする為に浴槽水を循環させる回路であり、風呂戻り側通路部８ａ、風呂往き側通路部８ｂを有している。風呂戻り側通路部８ａと風呂往き側通路部８ｂとの間に風呂循環ポンプ２６が設置され、風呂往き側通路部８ｂに熱利用熱交換器４の２次側熱交換通路部４ｂが設置されている。
【００３６】
次に、熱利用循環回路９について説明する。
図１に示すように、熱利用循環回路９（循環通路に相当する）は、出湯通路６の補助熱源機３の下流側と混合手段１３の上流側との間の通路部（共通出湯通路部６ｂと中間出湯通路部６ｃとの間）から分岐されると共に出湯通路６の補助熱源機３の上流側の通路部（上流出湯通路部６ａと共通出湯通路部６ｂとの間）に接続され且つ、出湯通路６の一部（共通出湯通路部６ｂ）を含むものである。
【００３７】
即ち、熱利用循環回路９は、出湯通路６と共通する共通出湯通路部６ｂ、上流循環通路部９ａ、中間循環通路部９ｂ、下流循環通路部９ｃを有している。中間循環通路部９ｂには、熱利用循環回路９を流れる湯水により風呂追焚回路８の浴槽水を加熱する熱利用熱交換器４と、熱利用循環回路９を導通状態と遮蔽状態とを択一的に切り換え可能な熱利用開閉弁２７とが上流から下流に向かって順に設置されている。下流循環通路部９ｃには、熱利用循環回路９に湯水を循環させるための循環ポンプ２８（循環手段に相当する）が設置されている。
【００３８】
熱利用循環回路９に湯水を循環させて浴槽水と熱交換を行う場合、循環ポンプ２８の駆動を介して湯水が、共通出湯通路部６ｂの補助熱源機３を流れ、この補助熱源機３によって加熱された後の高温の湯水が、上流循環通路部９ａを流れて中間循環通路部９ｂの１次側熱交換通路部４ａに送られ、この１次側熱交換通路部４ａで２次側熱交換通路部４ｂを流れる浴槽水との間で熱交換された湯水は、下流循環通路部９ｃを通って循環ポンプ２８に戻される。
【００３９】
次に、接続通路３０について説明する。
図１に示すように、接続通路３０は、バイパス通路１５の上流バイパス通路部１５ａと下流バイパス通路部１５ｂとの間から分岐され、熱利用循環回路９の循環ポンプ２８の下流側と熱利用熱交換器４の上流側との間の通路部（下流循環通路部９ｃと中間循環通路部９ｂとの間）に接続されている。接続通路３０には、給水通路５から熱利用循環回路９への通水を許容すると共に熱利用循環回路９から給水通路５への通水を許容しない逆止弁３１（逆止手段に相当する）が設置されている。尚、接続通路３０は、給水通路５から分岐された構造であっても良い。
【００４０】
次に、制御ユニット１０について説明する。
貯湯給湯装置１は、制御ユニット１０によって制御される。各種の温度センサ、各種の流量センサ等の検出信号が制御ユニット１０に送信され、この制御ユニット１０により、貯湯給湯装置１と外部熱源機１２の動作、各種のポンプの作動・停止、各種弁の開閉状態の切り換え及び開度調整等を制御し、各種運転（湯水循環運転、給湯運転、循環運転、風呂追い焚き運転等）を実行する。
【００４１】
また、制御ユニット１０は、給湯運転の際に、接続通路３０から熱利用循環回路９への通水が行われないように循環ポンプ２８を駆動する制御を実行する。即ち、制御ユニット１０は、給湯運転時に循環ポンプ２８を駆動することで、給湯運転開始と同時に、熱利用循環回路９に湯水を循環させる循環運転を実行する。この循環ポンプ２８を制御する制御ユニット１０が、循環手段制御手段に相当する。
【００４２】
次に、本発明の貯湯給湯装置１の作用及び効果について説明する。
図２に示すように、給湯運転時では、給湯栓の開放に伴い、貯湯タンク２にかかる給水圧によって貯湯タンク２の上部から高温の湯水が上流出湯通路部６ａに押し出され、この高温の湯水は、共通出湯通路部６ｂを通って中間出湯通路部６ｃに流入し、混合手段１３においてバイパス通路１５から供給される低温の上水と混合されて温度調整され、この温度調整された湯水が下流出湯通路部６ｄを通って給湯栓から給湯される。
【００４３】
ところで、通常の給湯運転だけでは、給水圧によって接続通路３０から熱利用循環回路９を介して出湯通路６に上水が流れ込んでしまう。そこで、制御ユニット１０は、給湯運転開始と同時に、三方弁１９をオールポートオープン状態に切換え、熱利用開閉弁２７を開弁状態に切換え、循環ポンプ２８を駆動することで、共通出湯通路部６ｂを流れる湯水の一部を、上流循環通路部９ａに流し込み、中間循環通路部９ｂと下流循環通路部９ｃとを流して共通出湯通路部６ｂに戻す循環運転を実行する。
【００４４】
すると、熱利用循環回路９に循環流が形成され、この循環流によって熱利用循環回路９の接続通路３０との接続部に水圧が作用する。特に熱利用熱交換器４の抵抗によって熱利用循環回路９の熱利用熱交換器４より上流側に確実に水圧が作用するので、バイパス通路１５の上水は、接続通路３０から熱利用循環回路９に流入せず、出湯通路６を流れる高温の湯水と混ざらない。
【００４５】
以上説明したように、給水通路５又はバイパス通路１５から分岐されて熱利用循環回路９に接続された接続通路３０と、給湯運転の際に、接続通路３０から熱利用循環回路９への通水が行われないように循環ポンプ２８を駆動する制御ユニット１０（循環手段制御手段）とを備えたので、給湯運転時では、循環ポンプ２８の駆動を介して熱利用循環回路９に湯水が循環されると、熱利用循環回路９に水圧が作用し、給水通路５又はバイパス通路１５の水が、接続通路３０から熱利用循環回路９に通水されなくなる。
【００４６】
給湯待機時及び給湯運転中の高温出湯検知時では、循環ポンプ２８は駆動されず、熱利用循環回路９に水圧が作用しないので、バイパス通路１５の水が給水圧によって接続通路３０から熱利用循環回路９へ通水可能な状態となる。停電時や混合弁が故障した場合等においては、バイパス通路１５の水は給水圧によって接続通路３０と熱利用循環回路９を介して出湯通路６に自動的に流入するので、高温の湯水が給湯栓等から吐出されるのを防止することができる。
【００４７】
従って、給湯運転時では、貯湯タンク２に貯留された高温の湯水をそのまま給湯に使用可能であるので、貯湯給湯装置１の運転効率の低下を防止することができ、給湯待機時では、高温出湯回避状態に自動的に設定することができるので、高温出湯回避用開閉弁等の高価な部品を追加的に設置せずに、低コストで既存の貯湯給湯装置１を高温出湯回避構造とすることができる。
【００４８】
また、接続通路３０には、給水通路５から熱利用循環回路９への通水を許容すると共に熱利用循環回路９から給水通路５への通水を許容しない逆止弁３１が設置されたので、この逆止弁３１によって、熱利用循環回路９から給水通路５への逆流を確実に防止することができる。
【００４９】
さらに、熱利用循環回路９には、この熱利用循環回路９を流れる湯水により熱媒体を加熱する熱利用熱交換器４が設置され、接続通路３０は、熱利用循環回路９の循環ポンプ２８の下流側と熱利用熱交換器４の上流側との間の通路部に接続されたので、給湯運転時に循環ポンプ２８によって熱利用循環回路９に湯水を循環させると、熱利用熱交換器４の抵抗によって熱利用熱交換器４より上流側の通路部に確実に水圧が作用し、接続通路３０から熱利用循環回路９へ水が流れ込むのを確実に防止することができる。
【実施例２】
【００５０】
次に、実施例１の貯湯給湯装置１を部分的に変更した実施例２の貯湯給湯装置１Ａについて説明する。尚、実施例２では、前記貯湯給湯装置１と同様の構成に同一符号を付して説明を省略し、異なる構成についてのみ説明する。
【００５１】
図３に示すように、貯湯給湯装置１Ａは、貯湯、給湯、風呂の追い焚き等の機能を有するものであり、貯湯タンク２、燃焼式の補助熱源機３、熱利用熱交換器４、給水通路４５、出湯通路４６、加熱循環回路７、風呂追焚回路８、熱利用循環回路４９、制御ユニット１０等を備え、これら大部分は外装ケース１１内に一体的に収納されて構成されている。
【００５２】
次に、給水通路４５について説明する。
図３に示すように、給水通路４５は、上水源から低温の上水を貯湯タンク２に供給するものであり、上流給水通路部４５ａ、中間給水通路部４５ｂ、下流給水通路部４５ｃ、最下流給水通路部４５ｄを有している。上流給水通路部４５ａの上流端が上水源に接続され、最下流給水通路部４５ｄの下流端が貯湯タンク２の下部に接続されている。
【００５３】
上流給水通路部４５ａと中間給水通路部４５ｂとの間から出湯通路４６に接続するバイパス通路５５が分岐されている。中間給水通路部４５ｂには、逆止弁５６が設置され、バイパス通路５５にも、逆止弁５７が設置されている。
【００５４】
中間給水通路部４５ｂと下流給水通路部４５ｃとの間から出湯通路４６に接続する接続通路６０が分岐されている。下流給水通路部４５ｃと最下流給水通路部４５ｄとの間から熱利用循環回路４９に接続する分岐通路６２が分岐されている。この分岐通路６２により、低温の上水を熱利用循環回路４９に供給することができ、また逆に、熱利用循環回路４９から湯水を貯湯タンク２に戻すことができる。
【００５５】
次に、出湯通路４６について説明する。
図３に示すように、貯湯タンク２内に貯湯された湯水を給湯栓等の所望の給湯先に供給するものであり、高温の湯水が流れる上流出湯通路部４６ａ、熱利用循環回路４９と共通する上流共通出湯通路部４６ｂ及び下流共通出湯通路部４６ｃ、中間出湯通路部４６ｄ、混合湯水が流れる下流出湯通路部４６ｅを有し、上流出湯通路部４６ａの上流端が貯湯タンク２の上部に接続され、下流出湯通路部４６ｅの下流端が給湯栓に接続されている。
【００５６】
上流出湯通路部４６ａと上流共通出湯通路部４６ｂとの間に三方弁６３が設置され、この三方弁６３に熱利用循環回路４９の下流循環通路部４９ｂが接続されている。この三方弁６３は、上流出湯通路部４６ａと上流共通出湯通路部４６ｂとの間の接続・遮断及び下流循環通路部４９ｂと上流共通出湯通路部４６ｂとの間の接続・遮断を切換可能なものである。
【００５７】
上流共通出湯通路部４６ｂには、給湯運転時に駆動される循環ポンプ５８（循環手段に相当する）と、湯水を再加熱可能な補助熱源機３が上流から下流に向かって順に設置されている。上流共通出湯通路部４６ｂと下流共通出湯通路部４６ｃとの間に接続通路６０が接続されている。
【００５８】
中間出湯通路部４６ｄと下流出湯通路部４６ｅとの間に混合弁５３（混合手段に相当する）が設置され、この混合弁５３に給水通路４５から分岐したバイパス通路５５が接続されている。混合弁５３は、出湯通路４６を流れる湯水の流量とバイパス通路５５を流れる水の流量とを調節して混合し、出湯温度が指令温度になるように制御するものである。
【００５９】
次に、熱利用循環回路４９について説明する。
図３に示すように、熱利用循環回路４９は、出湯通路４６の補助熱源機３の下流側と混合弁５３の上流側との間の通路部（下流共通出湯通路部４６ｃと中間出湯通路部４６ｄとの間）から分岐されると共に出湯通路４６の補助熱源機３の上流側の通路部（上流出湯通路部４６ａと上流共通出湯通路部４６ｂとの間）に接続され且つ、出湯通路４６の一部（上流共通出湯通路部４６ｂ及び下流共通出湯通路部４６ｃ）を含むものである。
【００６０】
即ち、熱利用循環回路４９は、出湯通路４６と共通する上流共通出湯通路部４６ｂ及び下流共通出湯通路部４６ｃ、上流循環通路部４９ａ、下流循環通路部４９ｂを有している。上流循環通路部４９ａには、熱利用循環回路４９を流れる湯水により風呂追焚回路８の浴槽水を加熱する熱利用熱交換器４と、熱利用循環回路４９を導通状態と遮蔽状態とを択一的に切り換え可能な熱利用開閉弁６５が上流から下流に向かって順に設置されている。上流循環通路部４９ａと下流循環通路部４９ｂとの間に分岐通路６２が接続されている。
【００６１】
熱利用循環回路４９に湯水を循環させて浴槽水と熱交換を行う場合、循環ポンプ５８の駆動を介して湯水が、上流共通出湯通路部４６ｂの補助熱源機３を流れ、この補助熱源機３によって加熱された後の高温の湯水が、下流共通出湯通路部４６ｃを流れて上流循環通路部４９ａの１次側熱交換通路部４ａに送られ、この１次側熱交換通路部４ａで２次側熱交換通路部４ｂを流れる浴槽水との間で熱交換された湯水は、下流循環通路部４９ｂを通って循環ポンプ５８に戻される。
【００６２】
次に、接続通路６０について説明する。
図３に示すように、接続通路６０は、給水通路４５から分岐され、熱利用循環回路４９の循環ポンプ５８の下流側と熱利用熱交換器４の上流側との間の通路部（上流共通出湯通路部４６ｂと下流共通出湯通路部４６ｃとの間）に接続されている。接続通路６０には、給水通路４５から熱利用循環回路４９への通水を許容すると共に熱利用循環回路４９から給水通路４５への通水を許容しない逆止弁６１（逆止手段に相当する）が設置されている。尚、接続通路６０は、バイパス通路５５から分岐された構造であっても良い。
【００６３】
次に、制御ユニット５０について説明する。
貯湯給湯装置１Ａは、制御ユニット５０によって制御される。各種の温度センサ、各種の流量センサ等の検出信号が制御ユニット５０に送信され、この制御ユニット５０により、貯湯給湯装置１Ａと外部熱源機１２の動作、各種のポンプの作動・停止、各種弁の開閉状態の切り換え及び開度調整等を制御し、各種運転（湯水循環運転、給湯運転、循環運転、風呂追い焚き運転等）を実行する。
【００６４】
制御ユニット５０は、給湯運転の際に、接続通路６０から熱利用循環回路４９への通水が行われないように循環ポンプ５８を駆動する制御を実行する。即ち、制御ユニット５０は、給湯運転時に循環ポンプ５８を駆動するが、この循環ポンプ５８を制御する制御ユニット５０が、循環手段制御手段に相当する。
【００６５】
次に、本発明の貯湯給湯装置１Ａの作用及び効果について説明する。
図４に示すように、給湯運転時では、給湯栓の開放に伴い、貯湯タンク２にかかる給水圧と循環ポンプ５８の駆動によって貯湯タンク２の上部から高温の湯水が上流出湯通路部４６ａに押し出され、この高温の湯水は、上流共通出湯通路部４６ｂと下流共通出湯通路部４６ｃを通って中間出湯通路部４６ｄに流入し、混合弁５３においてバイパス通路５５から供給される低温の上水と混合されて温度調整され、この温度調整された湯水が下流出湯通路部４６ｅを通って給湯栓から給湯される。
【００６６】
ところで、循環ポンプ５８を駆動すると、出湯通路４６には、給水圧に加えてポンプ圧も作用する。即ち、出湯通路４６の接続通路６０との接続部には、給水圧よりポンプ圧分高い水圧が作用する。給水通路４５の接続通路６０との接続部には、接続通路６０に逆止弁６１が設置されているので給水圧しか作用しない。
【００６７】
このため、出湯通路４６の接続通路６０との接続部には、給水通路４５の接続通路６０との接続部より高い水圧が確実に作用するので、前記実施例１と比較して、熱利用循環回路４９に湯水を循環させずとも、給水通路４５の上水は、接続通路６０から出湯通路４６に流入せず、出湯通路４６を流れる高温の湯水と混ざらない。尚、接続通路６０は、上流共通出湯通路部４６ｂと下流共通出湯通路部４６ｃとの間に接続されているが、特にこの位置に限定する必要はなく、循環ポンプ５８の駆動によって出湯通路４６の水圧が給水通路４５の水圧より高くなるので、中間出湯通路部４６ｄの途中部に接続されても良い。
【００６８】
給湯待機時及び給湯運転中の高温出湯検知時では、循環ポンプ５８は駆動されず、出湯通路４６（熱利用循環回路４９の一部）に水圧が作用しないので、給水通路４５の水が給水圧によって接続通路６０から出湯通路４６（熱利用循環回路４９の一部）へ通水可能な状態となる。停電時や混合弁が故障した場合等においては、給水通路４５の水は給水圧によって接続通路６０を介して出湯通路４６に自動的に流入するので、高温の湯水が給湯栓等から吐出されるのを防止することができる。その他の構成、作用及び効果については、実施例１と同様であるので説明は省略する。
【００６９】
次に、前記実施例１，２を部分的に変更した形態について説明する。
［１］前記実施例１，２における給湯運転時に熱利用循環回路９，４９に湯水を循環させる運転は、風呂追焚回路８に限定する必要はなく、床暖房パネルや浴室乾燥機等に供給される暖房水を循環させる温水暖房回路であっても良く、適宜変更可能である。
【００７０】
［２］その他、当業者であれば、本発明の趣旨を逸脱することなく、前記実施例１，２に種々の変更を付加した形態で実施可能であり、本発明はそのような変更形態を包含するものである。
【符号の説明】
【００７１】
１，１Ａ      貯湯給湯装置
２            貯湯タンク
３            補助熱源機
４            熱利用熱交換器（熱交換手段）
５，４５      給水通路
６，４６      出湯通路
９，４９      熱利用循環回路（循環通路）
１０，５０    制御ユニット（循環手段制御手段）
１３，５３    混合手段
１５，５５    バイパス通路
２８，５８    循環ポンプ（循環手段）
３０，６０    接続通路
３１，６１    逆止弁（逆止手段）
【図１】
2015081755.tif 000003
【図２】
2015081755.tif 000004
【図３】
2015081755.tif 000005
【図４】
2015081755.tif 000006